【手続補正書】
【提出日】平成22年6月22日(2010.6.22)
【手続補正１】
【補正対象書類名】特許請求の範囲
【補正対象項目名】全文
【補正方法】変更
【補正の内容】
【特許請求の範囲】
【請求項１】
時間領域音声信号のパラメータ領域表現であるフレーム音声信号を第１のパラメータ領域から第２のパラメータ領域に符号変換する方法であって、前記第１のパラメータ領域及び前記第２のパラメータ領域の夫々はフィルタバンク領域である、方法において、
前記第１のパラメータ領域の２又はそれ以上のパラメータを、前記時間領域音声信号を生成することなく、前記第２のパラメータ領域の少なくとも１つのパラメータへ線形に変換するステップを有し、
前記第１のパラメータ領域の前記２又はそれ以上のパラメータは、前記第１のパラメータ領域にある音声信号の異なるフレームから生じ、時間−周波数変換によって得られる、方法。
【請求項２】
前記２又はそれ以上の入力パラメータを前記少なくとも１つの出力パラメータへ線形に変換する前記ステップは、時間変化する、請求項１記載の方法。
【請求項３】
前記時間変化する線形変換は、複数の時間不変変換の周期的な繰り返しである、請求項２記載の方法。
【請求項４】
前記第２のパラメータ領域の全てのパラメータは、前記第１のパラメータ領域の線形に変換されたパラメータから得られる、請求項２又は３記載の方法。
【請求項５】
前記周期的な繰り返しの中の１周期は、前記第２のパラメータ領域の整数個のフレームに対応する前記第１のパラメータ領域の異なる整数個のフレームにわたる、請求項３又は４記載の方法。
【請求項６】
前記第１のパラメータ領域及び前記第２のパラメータ領域は、時間解析窓を用いる時間−周波数解析に基づき、前記第２のパラメータ領域に対する該時間−周波数解析は、長い解析窓及び短い解析窓を使用し、
前記線形に変換するステップは、長い解析窓及び短い解析窓ごとに異なる、請求項２乃至５のうちいずれか一項記載の方法。
【請求項７】
前記線形に変換するステップは、
異なる入力フレームからの入力ベクトルを出力ベクトルへマッピングするステップと、
出力フレームを発生させるよう前記出力ベクトルを重ね合わせるステップと
を有する、請求項１乃至６のうちいずれか一項記載の方法。
【請求項８】
前記第１のパラメータ領域の２又はそれ以上のパラメータを線形に変換するステップは、変換係数を保持するルックアップテーブルを用いる、請求項１乃至７のうちいずれか一項記載の方法。
【請求項９】
前記第１のパラメータ領域の２又はそれ以上のパラメータを線形に変換するステップは、所定の解析表示を用いる、請求項１乃至８のうちいずれか一項記載の方法。
【請求項１０】
時間領域音声信号のパラメータ領域表現であるフレーム音声信号を第１のパラメータ領域から第２のパラメータ領域に符号変換する装置であって、前記第１のパラメータ領域及び前記第２のパラメータ領域の夫々はフィルタバンク領域である、装置において、
前記第１のパラメータ領域の２又はそれ以上のパラメータを線形に変換することによって前記第２のパラメータ領域の少なくとも１つのパラメータを計算する手段を有し、
前記第１のパラメータ領域の前記２又はそれ以上のパラメータは、前記第１のパラメータ領域にある音声信号の異なるフレームから生じ、時間−周波数変換によって得られる、装置。
【請求項１１】
前記少なくとも１つの出力パラメータへの前記２又はそれ以上の入力パラメータの線形変換は、時間変化する、請求項１０記載の装置。
【請求項１２】
変換係数の記憶及び取り出しのための１又はそれ以上のルックアップテーブル手段を更に有する、請求項１０又は１１記載の装置。
【請求項１３】
所定の解析表示を評価する手段を更に有する、請求項１０乃至１２のうちいずれか一項記載の装置。
【請求項１４】
前記第１のパラメータ領域の音声フレームは、前記第２のパラメータ領域の音声フレームとは異なるフレームアドバンスを有し、該フレームアドバンスは、フレームの時間的重複を表す、請求項１乃至９のうちいずれか一項記載の方法。
【請求項１５】
前記第１のパラメータ領域及び前記第２のパラメータ領域の前記異なるパラメータは、時間−周波数解析及び時間−周波数合成を参照するパラメータであり、前記第１のパラメータ領域及び前記第２のパラメータ領域は、異なる時間−周波数解析及び／又は異なる時間―周波数合成を用いる、請求項１乃至９及び１４のうちいずれか一項記載の方法。
【請求項１６】
前記線形変換は、少なくとも、前記第１のパラメータ領域に従う時間−周波数合成、重複加算、セグメンテーション及び前記第２のパラメータ領域に従う時間−周波数解析を表す、請求項１乃至９、１４及び１５のうちいずれか一項記載の方法。
【請求項１７】
前記時間−周波数合成及び／又は前記時間−周波数解析は、線形ブロック変換又は線形フィードフォワードフィルタバンクに対応する、請求項１６記載の方法。
【請求項１８】
前記第１のパラメータ領域の各フレームのパラメータは、前記第２のパラメータ領域の１よりも多いフレームに作用し、音声信号の波形を表す、請求項１乃至９及び１４乃至１７のうちいずれか一項記載の方法。
【請求項１９】
前記線形変換は、音声信号の特定の周波数部分を削除する、請求項１乃至９及び１４乃至１８のうちいずれか一項記載の方法。
【請求項２０】
前記音声信号の特定の周波数部分の削除は、時間変化し、前記第１のパラメータ領域にある音声信号に使用されるビット割り当てに依存する、請求項１９記載の方法。
【請求項２１】
前記第１のフィルタバンク領域又は前記第２のフィルタバンク領域は、ＭＰＥＧ−１レイヤＩＩＩによって用いられるＭＰＥＧ−ＡＡＣ、ＭＤＣＴ、整数ＭＤＣＴ、又は複合フィルタバンクの中の１つである、請求項１乃至９及び１４乃至２０のうちいずれか一項記載の方法。
【請求項２２】
前記第１のパラメータ領域の音声フレームは、前記第２のパラメータ領域の音声フレームとは異なるフレームアドバンスを有し、該フレームアドバンスは、フレームの時間的重複を表す、請求項１０乃至１３のうちいずれか一項記載の装置。
【請求項２３】
前記第１のパラメータ領域及び前記第２のパラメータ領域の前記異なるパラメータは、時間−周波数解析及び時間−周波数合成を参照するパラメータであり、前記第１のパラメータ領域及び前記第２のパラメータ領域は、異なる時間−周波数解析及び／又は異なる時間―周波数合成を用いる、請求項１０乃至１３及び２２のうちいずれか一項記載の装置。
【請求項２４】
前記線形変換は、少なくとも、前記第１のパラメータ領域に従う時間−周波数合成、重複加算、セグメンテーション及び前記第２のパラメータ領域に従う時間−周波数解析を表す、請求項１０乃至１３、２２及び２３のうちいずれか一項記載の装置。
【請求項２５】
前記時間−周波数合成及び／又は前記時間−周波数解析は、線形ブロック変換又は線形フィードフォワードフィルタバンクに対応する、請求項２４記載の装置。
【請求項２６】
前記第１のパラメータ領域の各フレームのパラメータは、前記第２のパラメータ領域の１よりも多いフレームに作用し、音声信号の波形を表す、請求項１０乃至１３及び２２乃至２５のうちいずれか一項記載の装置。
【請求項２７】
前記線形変換は、音声信号の特定の周波数部分を削除する、請求項１０乃至１３及び２２乃至２６のうちいずれか一項記載の装置。
【請求項２８】
前記音声信号の特定の周波数部分の削除は、時間変化し、前記第１のパラメータ領域にある音声信号に使用されるビット割り当てに依存する、請求項２７記載の装置。
【請求項２９】
前記第１のフィルタバンク領域又は前記第２のフィルタバンク領域は、ＭＰＥＧ−１レイヤＩＩＩによって用いられるＭＰＥＧ−ＡＡＣ、ＭＤＣＴ、整数ＭＤＣＴ、又は複合フィルタバンクの中の１つである、請求項１０乃至１３及び２２乃至２８のうちいずれか一項記載の装置。